(57)【要約】【課題】栽培された植物の移動や収穫を極めて容易に行うことができるとともに、簡単な管理、簡易な設備で低コストにて実施することを可能とする植物栽培容器を提供する。【解決手段】本考案は、水分を保持する栽培用架台の上に根を通さないシートで構成された底面給水装置の上に、透根シートと平面状の枠で構成される容器を置くことで植物栽培をする。透根シートは根をそのシートの網目に固定化されます。また、根は底面給水装置に敷設された遮根シートに活着しないので、その容器ごと簡単に移植や収穫が容易に可能とすることを最も主要な特徴とする。【選択図】図１
0003142295.tif 000002
【実用新案登録請求の範囲】
【請求項１】
遮根シートが敷かれた底面給水用の栽培装置に、平面状の枠と透根性を有する網目状のシートを一体化させて栽培を可能とする植物栽培用容器
【考案の詳細な説明】
【技術分野】
【０００１】  本考案は、植物栽培において苗を生産する際に土を使わずに、簡単かつ低コストで苗生産を簡素化し、またその生産物の収穫を容易に可能とするものに関するものである。
【背景技術】
【０００２】  底面給水は花の栽培や稲の育苗等では一般的に使用されている。給水という点では十分な技術であった。【０００３】  しかし、すべて培地、ウレタン、ロックウール等を使用している。培地は病気や虫の発生、ウレタンやロックウールの場合は廃棄の点で問題があった。【０００４】  特に一般的な培地を使用した栽培では、根に土が付着してその除去や洗浄に多くの手間を要した。
【考案の開示】
【考案が解決しようとする課題】
【０００５】  解決しようとする課題は、土を使用せずに、苗生産や栽培された植物の移動、または収穫を極めて容易に行うことができるとともに、簡単な管理、簡易な設備を低コストで実施することを可能とする植物栽培用の容器を提供する。
【課題を解決するための手段】
【０００６】  本考案は、水分を保持する栽培用架台（底面給水装置）の上に根を通さないシートで構成された容器を栽培用架台の上に、透根シートと平面状の枠で構成される容器を置くことにより栽培をする。透根シートは根をそのシートの網目に固定化されます。平面状の枠で固定化する事により、移動する時や、収穫する時の操作性が向上します。また、根は底面給水装置に敷設された遮根シートに活着しないので、その容器ごと簡単に移動や収穫が容易に可能とすることを最も主要な特徴とする。
【考案の効果】
【０００７】  本考案の栽培用容器は、植物の根が容器に一体化された透根シートに固定化され、しかも根が底面給水装置に敷設した遮根シートに活着しないので収穫や移動が容易です。また、容器ごとに移動ができますので管理や操作性が向上するという利点があります。シートのみでは運搬等がやりにくいですが容器があることにより操作性は向上します。また、植物が完全に平面状で栽培できますので苗のウイルス処理との作業性も向上するという利点がある。
【考案を実施するための最良の形態】
【０００８】  栽培容器は平面状で、防水性、抗菌性、耐候性があるのが望ましい。また、その容器には穴を有する。この穴に植物の種を播種して苗を栽培する。透根シートで根を固定化する。さらに容器の穴で、植物の茎の自立を補助する。小さい植物を栽培するときは小型のものが望ましい。大きい植物や、平面状に密植して栽培をする場合は大きいものが望ましい。
【実施例１】
【０００９】  図１は、本考案容器の外枠です。栽培時はこの外枠に透水性があり、透根性のあるシートを装着します。この容器は根が発芽して生長したときに、茎に自立を補助します。
0003142295.tif 000003
【００１０】  図２は、本考案容器の外枠に装着する、透根シートの拡大図です。このシートを外枠に装着します。規則正しい網目状になっております。このシートが土の替わりをします。相の活着を促進に、網目に根を固定化します。根がこの網目に巻きつきます。
0003142295.tif 000004
【００１１】  図３は本考案容器の外枠に透根シートを装着した図です。この容器の穴の部分に種を播きます。種に水分が供給されて発芽し、育成します。
0003142295.tif 000005
【００１２】  図４は、本考案容器を底面給水装置の上に並べて苗を生産するイメージです。これで少ない面積で環境を均一化して栽培することが可能になります。また、その空間のみ環境制御することにより省エネにもなります。
0003142295.tif 000006
【００１３】  図５は、本考案栽培容器で発芽したものを、底面給水装置の上に移植した図です。種から発芽させて苗を生産するときは、狭い間隔で栽培をし、大きく育てる時は間隔を拡げる必要があります。その移植をするとき、栽培容器のまま、簡単に根かはがれますので本圃（底面給水装置）への移植が簡単にできます。また、収穫も同様に簡単にできます。
0003142295.tif 000007
本圃（生産ライン）に本考案容器で苗まで生産したものを移植して、大きく成長させた図です。□で黒い場所が、本容器をセットする場所です。  その穴に本考案容器を置くだけで移植が終わります。また、廃棄するのは透根シートのみですのでコストも下がります。本容器は、超耐久性のある素材を使用することにより、廃棄物が少なくなります。
【産業上の利用可能性】
【００１４】  本発明は芽野菜（スプラウト、ベビーリーフ）や葉野菜等の植物を栽培するための栽培技術に関し、簡易な設備で実施することができ、植物の栽培管理や収穫を省力化することを可能とする栽培容器である。
【図１】
0003142295.tif 000008
【図２】
0003142295.tif 000009
【図３】
0003142295.tif 000010
【図４】
0003142295.tif 000011
【図５】
0003142295.tif 000012
【手続補正書】
【提出日】平成20年2月7日(2008.2.7)
【手続補正１】
【補正対象書類名】明細書
【補正対象項目名】全文
【補正方法】変更
【補正の内容】
【考案の詳細な説明】
【技術分野】
【０００１】  本考案は、植物栽培において苗を生産する際に土を使わずに、簡単かつ低コストで苗生産を簡素化し、またその生産物の収穫を容易に可能とするものに関するものである。
【背景技術】
【０００２】  底面給水は花の栽培や稲の育苗等では一般的に使用されている。給水という点では十分な技術であった。【０００３】  しかし、すべて培地、ウレタン、ロックウール等を使用している。培地は病気や虫の発生、ウレタンやロックウールの場合は廃棄の点で問題があった。【０００４】  特に一般的な培地を使用した栽培では、根に土が付着してその除去や洗浄に多くの手間を要した。
【考案の開示】
【考案が解決しようとする課題】
【０００５】  解決しようとする課題は、土を使用せずに、苗生産や栽培された植物の移動、または収穫を極めて容易に行うことができるとともに、簡単な管理、簡易な設備を低コストで実施することを可能とする植物栽培用の容器を提供する。
【課題を解決するための手段】
【０００６】  本考案は、水分を保持する栽培用架台（底面給水装置）の上に根を通さないシートで構成された容器を栽培用架台の上に、透根シートと平面状の枠で構成される容器を置くことにより栽培をする。透根シートは根をそのシートの網目に固定化されます。平面状の枠で固定化する事により、移動する時や、収穫する時の操作性が向上します。また、根は底面給水装置に敷設された遮根シートに活着しないので、その容器ごと簡単に移動や収穫が容易に可能とすることを最も主要な特徴とする。
【考案の効果】
【０００７】  本考案の栽培用容器は、植物の根が容器に一体化された透根シートに固定化され、しかも根が底面給水装置に敷設した遮根シートに活着しないので収穫や移動が容易です。また、容器ごとに移動ができますので管理や操作性が向上するという利点があります。シートのみでは運搬等がやりにくいですが容器があることにより操作性は向上します。また、植物が完全に平面状で栽培できますので苗のウイルス処理との作業性も向上するという利点がある。
【考案を実施するための最良の形態】
【０００８】  栽培容器は平面状で、防水性、抗菌性、耐候性があるのが望ましい。また、その容器には穴を有する。この穴に植物の種を播種して苗を栽培する。透根シートで根を固定化する。さらに容器の穴で、植物の茎の自立を補助する。小さい植物を栽培するときは小型のものが望ましい。大きい植物や、平面状に密植して栽培をする場合は大きいものが望ましい。
【実施例１】
【０００９】  図１は、本考案容器の外枠です。栽培時はこの外枠に透水性があり、透根性のあるシートを装着します。この容器は根が発芽して生長したときに、茎に自立を補助します。
中心がカットされた部分に種を撒きます。
0003142295.tif 000013
【００１０】  図２は、本考案容器の外枠に装着する、透根シートの拡大図です。このシートを外枠に装着します。規則正しい網目状になっております。このシートが土の替わりをします。根の活着を促進に、網目に根を固定化します。根がこの網目に巻きつきます。
0003142295.tif 000014
【００１１】  図３は本考案容器の外枠に透根シートを装着した図です。この容器の穴の部分に種を播きます。種に水分が供給されて発芽し、育成します。
0003142295.tif 000015
【００１２】  図４は、本考案容器に透水シートを装着させたもの（図３の透根シートを装着した容器）を底面給水装置の上に連続して並べて苗を生産するイメージです。これで少ない面積で環境を均一化して栽培することが可能になります。また、その空間のみ環境制御することにより省エネにもなります。この図では、９個並べています。
0003142295.tif 000016
【００１３】  図５は、本考案栽培容器で発芽したものを、底面給水装置の上に移植した図です。種から発芽させて苗を生産するときは、狭い間隔で栽培をし、大きく育てる時は間隔を拡げる必要があります。その移植をするとき、栽培容器のまま、簡単に根かはがれますので本圃（底面給水装置）への移植が簡単にできます。また、収穫も同様に簡単にできます。
0003142295.tif 000017
本圃（生産ライン）に本考案容器で苗まで生産したものを移植して、大きく成長させた図です。□で黒い場所が、本容器をセットする場所です。  その穴に本考案容器を置くだけで移植が終わります。また、廃棄するのは透根シートのみですのでコストも下がります。本容器は、超耐久性のある素材を使用することにより、廃棄物が少なくなります。
【産業上の利用可能性】
【００１４】  本発明は芽野菜（スプラウト、ベビーリーフ）や葉野菜等の植物を栽培するための栽培技術に関し、簡易な設備で実施することができ、植物の栽培管理や収穫を省力化することを可能とする栽培容器である。
【図面の簡単な説明】
【００１５】
【図１】は本件考案の容器の平面図である。（中心の四角い穴が、種を播種する場所です。）
【図２】は本件考案容器に装着する透根シートの拡大図である。
【図３】は、本考案容器に図面２の透根シートを装着した図である。
【図４】は、苗生産時の図である。（図面３の考案容器に透根シートを装着したものを９個、並べています。）
【図５】は、本圃（底面給水装置）で栽培する概観図である。